(57)【要約】【課題】表示装置において、動作中の短いノイズに対し、表示動作が停止することを抑制することである。【解決手段】表示装置１０は、ＴＦＴパネル２６、バックライト２７、上下ランプ２８を含む。また、外部からインタフェースコネクタ１２を介して外部信号・外部電源を受け取り、外部電源を元に、表示装置１０全体の基本電源となる電圧・電流を作り出す第１電源回路１６と、内部電源としての第２電源回路１８とインバータ電源回路２０とが配置される。タイミングコントローラ回路１４の一部に備えられる信号検出回路３０は、外部信号の１つを検出用信号として、検出用信号があるときは内部電源をオンさせ、検出用信号がなくなったときに内部電源をオフさせる。信号検出回路３０に接続される信号保持回路６０は、検出用信号がなくなったときに任意の保持時間だけ内部電源をオフさせることを遅延させる。【選択図】図１
2008083436.tif 000002
【特許請求の範囲】
【請求項１】
映像信号を含む信号と電源用電力を受け取るインタフェース部と、
映像信号を処理して表示する表示パネルと、
インタフェース部から受け取った電源用電力に基づいて作動する少なくとも１つの内部電源回路と、
インタフェース部から、映像信号を含む信号の中の少なくとも１つの信号である検出用信号を受け取ったことを検出したときに内部電源をオンさせ、受け取った検出用信号がなくなったことを検出したときに内部電源をオフさせる電源制御信号を出力する信号検出回路と、
検出用信号がなくなったときに、予め定められた任意の保持時間だけ、内部電源をオフさせることを遅延させる信号保持手段と、
を備えることを特徴とする表示装置。
【請求項２】
請求項１に記載の表示装置において、保持時間は、表示パネルの１フレーム走査時間より長く、表示パネルの画素の保持容量の放電時間時定数よりも短いことを特徴とする表示装置。
【請求項３】
請求項２に記載の表示装置において、
信号検出回路は、
入力された検出用信号のレベルが低下する放電時間を定めるために設定抵抗とその端子のパッド容量を用いており、  
信号保持手段は、設定抵抗の端子に、保持時間を設定するために付加する保持容量であることを特徴とする表示装置。
【請求項４】
請求項２に記載の表示装置において、
信号保持手段は、
信号検出回路からの検出用信号をトリガ信号として、出力信号を立ち上げ、予め保持時間に設定された時定数の時間がくるまで立ち上がった出力信号のレベルを維持する単安定回路であって、出力信号を電源制御信号に代えて電源回路に供給することを特徴とする表示装置。
【請求項５】
請求項４に記載の表示装置において、
信号保持手段は、予め設定された時定数の時間内に新しいトリガ信号を受け付けたときは、その新しいトリガ信号が受け付けられたときから、設定された時定数の時間が改めて開始することを特徴とする表示装置。
【発明の詳細な説明】
【技術分野】
【０００１】
本発明は表示装置に係り、特に、外部から供給される信号の有無を検出して内部電源をオン・オフすることができる表示装置に関する。
【背景技術】
【０００２】
外部から映像信号の供給を受けて表示を行う液晶パネルのような表示装置において、消費電力を低減させるために、外部から映像信号を受け取っていないときに内部電源をオフさせることが行われる。
【０００３】
例えば、特許文献１には、パソコン本体と電源とは独立した電源ラインから給電を行う液晶モニターのバックライト電源部の電力を節約するために、パソコン本体からの表示信号の有無を検出する表示信号検出部を設け、表示信号の入力に応じてバックライト電源部を有効とすることが開示されている。ここで、表示信号検出部は、オアゲートとワンショット発振回路とスイッチングトランジスタとで構成され、表示信号を構成する水平同期信号と垂直同期信号とはオアゲートを介してワンショット発振回路に印加され、各同期パルスごとにワンショット発振回路をトリガしてスイッチ用トランジスタをオフとするＱ信号を出し、このワンショット発振回路のＱ信号でバックライト電源部はオンとなる。ワンショット発振回路の時定数は、１水平同期信号周期（１Ｈ）より長く、例えば２Ｈより短く設定されているので、パソコン本体が動作し表示信号が存在する間は表示信号がワンショット発振回路をトリガし続けるので、バックライト電源部はオンのままである。パソコン本体の動作が停止すると表示信号がなくなり、最後の同期信号から時定数だけ経過した時点でバックライト電源部がオフする。これにより表示信号がないときはバックライトを消灯して、バックライトによる無駄な電力消費が防止されると述べられている。
【０００４】
【特許文献１】特開平１０−１３３１７１号公報
【発明の開示】
【発明が解決しようとする課題】
【０００５】
従来技術に開示されるように、表示信号検出に応じて表示をオン・オフさせることで、無駄な電力消費を抑制することができる。また、一般的に表示装置の特性試験には耐静電ノイズテストが行なわれるが、これは表示装置の入出力端子の耐静電ノイズ性をテストすることが主で、動作中における試験でないことが多い。
【０００６】
耐静電ノイズテストで問題のない表示装置において、上記のような信号検出回路を用いて表示装置の内部電源をオン・オフするものとすると、次のような問題が生じることが見出された。すなわち、表示装置が表示をしている動作中に、静電ノイズ等の外乱が加わると、この外乱によって、信号検出回路が作動し、あるいはこの外乱を受けて外部からの映像信号の供給が一瞬停止し、これによって信号検出回路が作動し、表示装置の内部電源をオフしてしまう。つまり、動作中静電ノイズによって、表示が停止することが起こる。静電ノイズは一瞬であることが多いので、通常は、すぐ映像信号の供給が回復し、あるいは信号検出回路の作動が正常に復帰するが、内部電源の立ち上がりが遅い場合、あるいは内部電源が複数あって、その立ち上がりが順次に行われる場合には、実際の表示の回復に時間がかかる場合がある。
【０００７】
このように、外部から供給される信号の有無を検出することで表示装置の内部電源をオン・オフするシステムは、表示動作中にノイズが入ると、表示が停止するという課題があることが分かった。
【０００８】
本発明の目的は、動作中の短いノイズに対し、表示動作が停止することを抑制する表示装置を提供することである。
【課題を解決するための手段】
【０００９】
本発明に係る表示装置は、映像信号を含む信号と電源用電力を受け取るインタフェース部と、映像信号を処理して表示する表示パネルと、インタフェース部から受け取った電源用電力に基づいて作動する少なくとも１つの内部電源回路と、インタフェース部から、映像信号を含む信号の中の少なくとも１つの信号である検出用信号を受け取ったことを検出したときに内部電源をオンさせ、受け取った検出用信号がなくなったことを検出したときに内部電源をオフさせる電源制御信号を出力する信号検出回路と、検出用信号がなくなったときに、予め定められた任意の保持時間だけ、内部電源をオフさせることを遅延させる信号保持手段と、を備えることを特徴とする。
【００１０】
また、本発明に係る表示装置において、保持時間は、表示パネルの１フレーム走査時間より長く、表示パネルの画素の保持容量の放電時間時定数よりも短いことが好ましい。
【００１１】
また、本発明に係る表示装置において、信号検出回路は、入力された検出用信号のレベルが低下する放電時間を定めるために設定抵抗とその端子のパッド容量を用いており、信号保持手段は、設定抵抗の端子に、保持時間を設定するために付加する保持容量であることが好ましい。
【００１２】
また、本発明に係る表示装置において、信号保持手段は、信号検出回路からの検出用信号をトリガ信号として、出力信号を立ち上げ、予め保持時間に設定された時定数の時間がくるまで立ち上がった出力信号のレベルを維持する単安定回路であって、出力信号を電源制御信号に代えて電源回路に供給することが好ましい。
【００１３】
また、本発明に係る表示装置において、信号保持手段は、予め設定された時定数の時間内に新しいトリガ信号を受け付けたときは、その新しいトリガ信号が受け付けられたときから、設定された時定数の時間が改めて開始することが好ましい。
【発明の効果】
【００１４】
上記構成により、表示装置は、少なくとも１つの内部電源回路と、インタフェース部から検出用信号を受け取ったことを検出したときに内部電源をオンさせ、受け取った検出用信号がなくなったことを検出したときに内部電源をオフさせる電源制御信号を出力する信号検出回路と、検出用信号がなくなったときに、予め定められた任意の保持時間だけ、内部電源をオフさせることを遅延させる信号保持手段とを備える。これにより、動作中の短いノイズに対し、表示動作が停止することを抑制できる。
【００１５】
また、保持時間は、表示パネルの１フレーム走査時間より長く、表示パネルの画素の保持容量の放電時間時定数よりも短くする。人間の視覚では、１フレーム走査時間以内の画像の消失はほとんど感知しないが、１フレーム走査時間以上画像が消えると、例えば画像のちらつき等の異常を感知する。したがって、電源の保持時間は、１フレーム走査時間より長くする。一方、電源の保持時間の間は、画像信号が実際には来ていないので、前の画像データを画素の保持容量で保持していることになる。この保持時間が長すぎ、画素の保持容量が放電してしまうと、画面がノーマル状態のブラックまたはホワイトに戻ってしまう。そこで、これほど長いノイズの場合には、むしろ電源をオフして画面を見せないことにするほうがよい。したがって、電源の保持時間は、画素の保持容量の放電時間時定数より短くする。これにより、動作中のノイズに対し、人間の視覚上、違和感のない表示の保持を行うことができる。
【００１６】
また、入力された検出用信号のレベルが低下する放電時間を定めるために設定抵抗とその端子のパッド容量を用いている信号検出回路の場合は、設定抵抗の端子に、保持時間を設定するための保持容量を付加する。これにより、動作中の短いノイズに対し、表示動作が停止することを抑制するための電源の保持時間を設定することができる。
【００１７】
また、信号保持手段として、信号検出回路からの検出用信号をトリガ信号として、出力信号を立ち上げ、予め保持時間に設定された時定数の時間がくるまで維持する単安定回路を用い、その出力信号を電源制御信号に代えて電源回路に供給するので、動作中の短いノイズに対し、表示動作が停止することを抑制するための電源の保持時間を設定することができる。
【００１８】
また、信号保持手段は、予め設定された時定数の時間内に新しいトリガ信号を受け付けたときは、その新しいトリガ信号が受け付けられたときから、設定された時定数の時間が改めて開始することとするので、連続的にノイズが入るような場合でも、表示動作が停止することを抑制できる。
【発明を実施するための最良の形態】
【００１９】
以下に図面を用いて本発明に係る実施の形態につき、詳細に説明する。以下では、表示装置として、ＴＦＴ（Ｔｈｉｎ  Ｆｉｌｍ  Ｔｒａｎｓｉｓｔｏｒ）を用いるアクティブマトリクス型の液晶表示装置を説明するが、それ以外の能動素子を用いる液晶表示装置であってもよい。例えばポリシリコントランジスタあるいは非線形ダイオードリング素子等を用いる液晶表示装置であってもよい。また、液晶表示機構以外の表示機構、例えばＬＥＤ表示機構を用いる表示装置等であってもよい。また、以下では、信号検出回路が制御する電源回路の数として、インバータ電源回路を含め２つとして説明するが、その数は１以上であれば、いくつであってもよい。また、以下で説明する信号検出回路の構成、及び信号保持回路の構成は、説明のための１例であって、同様な機能を有する適当な回路構成を用いることができる。
【００２０】
図１は、信号検出回路と信号保持回路とを含む表示装置１０の構成を示す図である。この表示装置１０は、外部信号・外部電源８によって表示動作を実行する液晶表示装置で、みずからは、電源を内蔵せず、映像信号の発生源を有しない。いわば、回路付き表示パネルである。したがって、表示装置１０の電源ライン及び信号ラインは、外部信号・外部電源８を受け取るインタフェースコネクタ１２から出発して、表示装置１０の内部に配置される。図１では、電源ラインを実線で、信号ラインを破線で示してある。
【００２１】
表示装置１０は、表示を行うためのＴＦＴパネル２６、ＴＦＴパネル２６を背後から照明するバックライト２７、バックライト２７の平面配置上で上下に設けられる２本のランプである上下ランプ２８を含む。
【００２２】
ＴＦＴパネル２６は、能動素子としてのＴＦＴをマトリクス状に配置したアクティブマトリクスパネルであり、各ＴＦＴに接続されるゲートラインとソースラインとが格子状に配置されている。表示装置１０は、ＴＦＴパネル２６のゲートラインを駆動するためのＬＳＩ（Ｌａｒｇｅ  Ｓｃａｌｅ  Ｉｎｔｅｇｒａｔｅｄ  ｃｉｒｃｕｉｔ）であるゲートドライバ２２と、ソースラインを駆動するためのＬＳＩであるソースドライバ２４とを含む。ゲートドライバ２２とソースドライバ２４は、ＴＦＴパネル２６の互いに直交する２辺に配置される。
【００２３】
また、表示装置１０は、上記の各要素にそれぞれ電圧・電流を供給する複数の電源回路を備える。表示装置１０の各要素は、相互に動作電圧が異なることがあり、また必要な電力容量も異なるので、各要素に合わせた仕様の電源回路が用意される。図１の例では、インタフェースコネクタ１２から受け取った外部電源を元に、表示装置１０全体の基本電源となる電圧・電流を作り出す第１電源回路１６と、ゲートドライバ２２及びソースドライバ２４に電圧・電流を供給するための第２電源回路１８と、上下ランプ２８を駆動するためのインバータ電源回路２０とが示されている。なお、インバータ電源回路２０は、上下ランプ２８に対する電圧・電流供給源であると共に、その作動を制御する機能も有する。
【００２４】
そして、表示装置１０は、これらの各要素の動作を全体として制御するためのＬＳＩであるタイミングコントローラ回路１４を備える。タイミングコントローラ回路１４は、様々な機能を含むＬＳＩで、その機能の１つとして、信号検出回路３０を含む。また、表示装置１０は、信号検出回路３０の制御の下に作動し、第２電源回路１８とインバータ電源回路２０に接続される信号保持回路６０を含む。このように、第２電源回路１８とインバータ電源回路２０は、信号検出回路３０の制御の下にあり、その点で第１電源回路１６と異なるので、以下では、第２電源回路１８とインバータ電源回路２０とを合わせて、信号検出回路３０の制御の下にある内部電源、あるいは単に内部電源と呼ぶことにする。
【００２５】
ここで、インタフェースコネクタ１２によって受け取られた外部信号・外部電源８のうち、外部信号は、映像信号、クロック信号等を含む表示装置１０の動作に必要な複数の信号であり、外部電源は、表示装置１０の動作に必要な電力である。これら複数の外部信号と、外部電源とは、それぞれ分離されて、インタフェースコネクタ１２の各端子に、外部の表示制御装置から供給される。外部の表示制御装置は、例えば、ＰＣ（Ｐｅｒｓｏｎａｌ  Ｃｏｍｐｕｔｅｒ）等のコンピュータで構成することができる。  
【００２６】
インタフェースコネクタ１２は、外部の表示制御装置と表示装置１０との間のインタフェース部としての機能を有する接続素子である。インタフェースコネクタ１２からの外部信号は、図１において破線で示す信号ラインを経由して表示装置１０の各要素に伝達される。例えば、インタフェースコネクタ１２からは、直接に、タイミングコントローラ回路１４、信号検出回路３０、信号保持回路６０に、外部信号が供給される。
【００２７】
また、インタフェースコネクタ１２からの外部電源は、図１において実線で示す信号ラインを経由して表示装置１０の各要素に伝達される。例えば、インタフェースコネクタ１２からは、直接に、第１電源回路１６に外部電源からの電圧・電流が伝達される。第１電源回路１６からは、信号検出回路３０を含むタイミングコントローラ回路１４に適した電圧・電流が生成されて、直接に信号検出回路３０等に供給される。また、インタフェースコネクタ１２からの外部電源は、第２電源回路１８、インバータ電源回路２０にも供給されるが、これらの電源回路の作動は、信号検出回路３０及び信号保持回路６０の制御の下にある。したがって、第２電源回路１８に接続されるゲートドライバ２２、ソースドライバ２４の作動は、信号検出回路３０及び信号保持回路６０の制御の下にあることになる。同様に、インバータ電源回路２０に接続される上下ランプ２８の作動も、信号検出回路３０及び信号保持回路６０の制御の下にあることになる。
【００２８】
信号検出回路３０は、インタフェースコネクタ１２からの外部信号の中の少なくとも１つの信号を検出用信号とし、検出用信号を受け取ったことを検出したときに、内部電源である第２電源回路１８及びインバータ電源回路２０をオンさせ、受け取った検出用信号がなくなったことを検出したときに内部電源をオフさせる電源制御信号を出力する機能を有する回路である。検出用信号としては、規則正しい周期のものが好ましく、外部信号の中で、例えば、フレーム走査クロック信号等のクロック信号等を用いることができる。以下では、検出用信号として、クロック信号を用いるものとして説明する。
【００２９】
このような信号検出回路３０は、例えば、入力された検出用信号であるクロック信号の立ち上がりのときから充電を開始し、クロック信号がなくなった立ち下がりから放電を開始する回路を用い、充電の時定数と放電の時定数を適当に設定し、クロック信号の電圧レベルの低下が予め定めた閾値を下回るときに、電源制御信号を停止する構成のものを用いることができる。
【００３０】
図２は、信号検出回路３０の構成例を示す図である。この信号検出回路３０は、検出用信号としてのクロック信号をＣＬＫ端子に入力し、クロック信号を保持するときの充電時定数をＤＣ１０１端子に接続される外部抵抗Ｒ１（３２）とその端子のパッドの浮遊容量ＣＰ（３４）とで設定し、放電時定数をＤＣ１０１端子に接続される外部抵抗Ｒ２（３６）とその端子のパッドの浮遊容量ＣＰ（３８）とで設定し、ＩＮ１，ＢＵＦ１の閾値によって、クロック信号のレベルが所定以下に下がったときに、ＤＣＯＮ端子から電源制御信号を出力する構成を有する。なお、図１の構成は１例であり、これ以外の構成であっても、クロック信号を受け取らなくなったことを検出して、電源制御信号を出力する機能を有するものを、信号検出回路３０として用いることができるのは、もちろんである。
【００３１】
図３は、信号検出回路３０の作動を説明すると共に、表示装置１０において信号保持回路６０を用いずに、信号検出回路３０のみで第２電源回路１８とインバータ電源回路２０の作動を制御したとする場合を説明するタイムチャートである。図３は、横軸に原点を共通にした時間をとり、縦軸に電圧等の信号レベルをとり、（ａ）にインタフェースコネクタ１２から供給される外部電源の状態を、（ｂ）に突発的に出現する外部ノイズの状態を、（ｃ）に信号検出回路３０のＣＬＫ端子に検出用信号として入力されるクロック信号ＣＬＫを、（ｄ）に信号検出回路３０の内部におけるクロック信号のレベルを示す充放電波形を、（ｅ）に信号検出回路３０のＤＣＯＮ端子から出力される電源制御信号を、（ｆ）に第２電源回路１８のオン・オフ状態を、（ｇ）にインバータ電源回路２０オン・オフ状態を、（ｈ）にＴＦＴパネル２６の表示の状態を、それぞれ示してある。なお、クロック信号があるときは、表示装置１０の表示動作に必要な各種信号がすべてあり、逆に、クロック信号がないときは、表示装置１０の表示動作に必要な各種信号が欠けているものとする。
【００３２】
図３の内容を以下に説明する。なお、以下では図１で説明した符号を用いる。ここで、外部の表示制御装置において、外部電源が時刻ｔ１に立ち上がり、外部信号が時刻ｔ２に出力されると、外部信号の１つであるクロック信号がほぼ時刻ｔ２に信号検出回路３０に入力される。その様子は、図３（ａ），（ｃ）に示される。
【００３３】
上記のように、信号検出回路３０の機能により、クロック信号を受け取るまでは、電源制御信号はオフであるので、外部の表示制御装置から外部信号が供給されない間は、表示装置１０の内部電源をオフすることができ、例えば上下ランプ２８の点灯を自動的に停止でき、消費電力を低減できる。
【００３４】
時刻ｔ２でクロック信号が立ち上がると、信号検出回路３０の内部では、入力されるクロック信号の繰り返しに応じて、充放電が行なわれるので、保持されるクロック信号のレベルは、図３（ｄ）に示すような充放電波形となる。すなわち、クロック信号が立ち上がると、図２で説明した外部抵抗Ｒ１とパッド浮遊容量ＣＰとで定まる充電定数で信号レベルが上昇し、クロック信号のＨレベルの間は充電の最大値で保持され、クロック信号が立ち下がると、図２で説明した外部抵抗Ｒ２とパッド浮遊容量ＣＰとで定まる放電定数で信号レベルが低下する。その低下レベルが、電源制御信号を出力するために定められている閾値以下になる前に、次のクロック信号が入力されると、信号レベルの低下が止まって、上昇に転ずる。
【００３５】
したがって、信号検出回路３０において、（充電時定数＋放電時定数）を、クロック信号の１周期よりも長く設定することで、クロック信号が規則正しく入力される間は、電源制御信号をオンとし、設定された（充電時定数＋放電時定数）に比べて長い時間に渡って、全くクロック信号が入力されないときに、電源制御信号をオフとするようにできる。そして、電源制御信号を第２電源回路１８、インバータ電源回路２０に入力し、電源制御信号がオンのときには、これらの電源回路が作動し、電源制御信号がオフのときには、これらの電源回路の作動を止めるものとすることができる。
【００３６】
このようにして、信号検出回路３０は、検出用信号を受け取ったことを検出したときに内部電源をオンさせ、受け取った検出用信号がなくなったことを検出したときに内部電源をオフさせる電源制御信号を出力することができる。
【００３７】
図３（ｅ）においては、最初のクロック信号が入力され、充放電波形が立ち上がって予め定めた閾値を上回る時刻ｔ３で電源制御信号がオン状態となることが示されている。なお、電源制御信号がオンするための閾値と、電源制御信号がオフするための閾値とを異ならせることで、信号検出回路３０における作動をより安定にすることができる。図３では、２つの閾値を用いて、電源制御信号のオンとオフを規制している様子が示されている。
【００３８】
第２電源回路１８は、電源制御信号がオンしてから、いくらか遅れて立ち上がる。この遅れは、例えば第２電源回路内の初期化のための時間、あるいは回路動作の遅れのために生じる。その様子は図３（ｆ）に示される。
【００３９】
表示装置１０における複数の電源回路は、それらが同時に立ち上がり、同時に立ち下がるものとするよりも、一定の優先順位をつけて、複数の電源回路が順々に立ち上がり、順々に立ち下がるものとすることができる。このようにすることで、消費電力の過剰な変化を抑制でき、システムを安定して立ち上げ、立ち下げることができる。なお、立ち上げの順序と、立ち下げの順序とは、必ずしも相互に反対順序でなくてもよい。このように、複数の電源回路の立ち上げ、立ち下げを順序立てて行うものとすると、例えば、第２電源回路１８が十分に立ち上がってからインバータ電源回路２０の立ち上げを開始するものとできる。
【００４０】
図３（ｅ）から（ｇ）には、電源制御信号が時刻ｔ３で立ち上がると、それから一定時間遅れた時刻ｔ４において第２電源回路１８が立ち上がり、さらに一定時間遅れた時刻ｔ５においてインバータ電源回路２０が立ち上がる様子が示されている。このように、複数の電源回路がある場合、一般的には、各電源回路の立ち上げにそれぞれ遅れ時間があり、また各電源回路の立ち上げに順序がつけられているので、外部信号・外部電源８が表示装置１０に入力されても、すべての電源回路が立ち上がるまで、ＴＦＴパネル２６に表示が行なわれないことになる。その様子を図３（ｈ）に示す。
【００４１】
このようにして各電源回路が立ち上がると、表示装置１０は外部の表示制御装置から供給される外部信号にしたがって、ＴＦＴパネル２６上に表示を行う。この動作状態で、外部からノイズが入ってきたとする。その様子は、図３（ｂ）において、時刻ｔ７から時刻ｔ１２の間のノイズとして示されている。ノイズは、外部の表示制御装置あるいは表示装置１０の動作に影響を与える程度に強いレベルであるとすると、このノイズによって、クロック信号が停止し、時刻ｔ７からやや遅れた時刻ｔ８において表示装置１０の表示も消える。その様子を図３（ｈ）に示す。
【００４２】
クロック信号の入力が停止すると、信号検出回路３０の内部において、クロック信号の立ち上がりによる充電がなくなるので、放電時定数にしたがって、その信号レベルが次第に低下する。そして、予め定めた閾値を下回ると、電源制御信号がオフする。図３（ｅ）では、時刻ｔ９で電源制御信号がオフする様子が示される。
【００４３】
電源制御信号がオフすると、あまり遅れずに、第２電源回路１８とインバータ電源回路２０がオフする。その様子は図３（ｆ），（ｇ）において、時刻ｔ１０，ｔ１１にそれぞれ第２電源回路１８とインバータ電源回路２０がオフするものとして示されている。
【００４４】
ノイズが時刻ｔ１２において消失すると、クロック信号が再び立ち上がる。図３（ｃ）には時刻ｔ１３においてクロック信号が再び立ち上がる様子が示されている。クロック信号が立ち上がると、上記の時刻ｔ２以降ｔ６で説明したのと同じ内容で、電源制御信号、第２電源回路、インバータ電源回路が次々に立ち上がり、表示が復活する。その様子は、図３において、時刻ｔ１４で電源制御信号が立ち上がり、時刻ｔ１５で第２電源回路１８が立ち上がり、時刻ｔ１６でインバータ電源回路２０が立ち上がり、表示が時刻ｔ１７で復活するものとして示されている。
【００４５】
このように、信号検出回路３０の作動によって、ノイズが入ると、そのノイズが入っている期間よりもかなり長い期間、表示がされないことになる。表示装置１０の動作中に飛び込むノイズは、一般的に不規則で再現性のなく、その継続時間が短いパルス状のものが多いと考えられる。仮に、信号検出回路３０を設けずに、単純にノイズが入っている間、表示が停止するものとすると、人間の視覚上は、瞬間的な表示の消失を検出しないことがあり、ごく短いノイズの場合は、視覚上、あまり問題ない表示であることがある。ここで信号検出回路３０を設けることで、上記のように、通常の使用状態においては、消費電力を低減できるが、一方で、ノイズが入っている期間よりもかなり長い期間、表示がされないことになり、視覚上でも表示が停止した、と認識されることが生じえる。これが、信号検出回路３０を用いる際の課題である。
【００４６】
再び図１に戻り、信号検出回路３０と第２電源回路１８及びインバータ電源回路２０との間に設けられる信号保持回路６０は、検出用信号がなくなったときに、予め定められた任意の保持時間だけ、内部電源をオフさせることを遅延させる機能を有する。すなわち、信号検出回路３０が電源制御信号をオフするように出力しても、第２電源回路１８及びインバータ電源回路２０には、保持時間の間は、内部電源のオン状態を継続させるような制御信号を出力し、保持時間後にその制御信号をオフして、内部電源をオフさせる。つまり、内部電源のオフを保持時間だけ遅延させ、その間は内部電源をオンのまま保持する。
【００４７】
上記のように、表示装置１０の表示は、人間の視覚に依存する面があるので、保持時間は、表示パネルの１フレーム走査時間より長く、表示パネルの画素の保持容量の放電時間時定数よりも短くすることがよい。すなわち、人間の視覚では、１フレーム走査時間以内の画像の消失はほとんど感知しないが、１フレーム走査時間以上画像が消えると、例えば画像のちらつき等の異常を感知する。したがって、電源の保持時間は、１フレーム走査時間より長くすることがよい。一方、電源の保持時間の間は、画像信号が実際には来ていないので、前の画像データを画素の保持容量で保持していることになる。この保持時間が長すぎ、画素の保持容量が放電してしまうと、画面が本来の表示でなく、例えばノーマル状態のブラックまたはホワイトに戻ってしまうことがある。そこで、これほどの長いノイズの場合には、むしろ電源をオフして画面を見せないことにするほうがよい。したがって、電源の保持時間は、画素の保持容量の放電時間時定数より短くすることがよい。これにより、動作中のノイズに対し、人間の視覚上、違和感のない表示の保持を行うことができる。
【００４８】
このように、内部電源のオン・オフの制御信号を、通常の使用状態においては信号検出回路３０の通常の電源制御信号と同じとし、短いノイズが入ってくるときには、内部電源をオフすることを任意の保持時間の間ずらす機能は、電源制御信号と、クロック信号の２つの信号を入力信号から制御信号としての出力信号を生成し、クロック信号がなくなったことを検出しても、所定の保持時間の間は出力信号の信号レベルを固定したまま保持する信号保持回路の回路構成で実現できる。例えば、単安定マルチバイブレータを用い、信号検出回路３０からのクロック信号をトリガ信号として、出力信号を立ち上げ、予め保持時間に設定された時定数の時間がくるまで、立ち上がった出力信号のレベルをそのまま維持する構成とし、その出力信号を電源制御信号に代えて電源回路に供給することで実現できる。
【００４９】
図４は、市販の単安定マルチバイブレータ回路５０を用いて、信号保持回路６０を構成する例を示す図である。具体的には、東芝製の型式ＴＣ７ＷＨ１２３ＦＵ／ＦＫの単安定マルチバイブレータを用いることができる。この単安定マルチバイブレータ回路５０は、もともと３つの入力端子を有しているが、ここではそのうちの２端子を用い、使用しない１端子をＧＮＤに落としている。２つの入力端子は、Ｓ１がクロック信号の入力端子で、Ｓ２が信号検出回路３０からの電源制御信号である。また、モノマルチバイブレータとしての充放電波形の周期を決めるために、外部抵抗Ｒ（６２）と外部容量Ｃ（６４）が接続される。
【００５０】
このような入力端子の用い方において、この単安定マルチバイブレータ回路５０の出力信号ＯＵＴは、次のようになる。すなわち、Ｓ１にクロック信号ＣＬＫを入力し、Ｓ２に電源制御信号のオンレベルとしてＨを入力すると、クロック信号ＣＬＫをトリガ信号として、トリガ信号の立ち上がりから、外部抵抗Ｒと外部容量Ｃで定まる保持時間の間、出力信号ＯＵＴはＨレベルを維持する。つまり、クロック信号ＣＬＫの周期と関係なく、外部抵抗Ｒと外部容量Ｃで定まる保持時間の間、出力信号ＯＵＴはＨレベルを維持することができる。また、Ｓ２において電源制御信号のオフレベルであるＬが入力されると、出力信号ＯＵＴはＬとなる。
【００５１】
図５は、信号検出回路３０に合わせて信号保持回路６０を用いる場合の各信号等の状態を示すタイムチャートである。なお、以下では図１、図３で説明した符号を用いる。図５は、図３と同様なタイムチャートで、横軸に原点を共通にした時間をとり、縦軸に電圧等の信号レベルをとってある。図５（ａ）から（ｅ）までは、図３と同じであるので、その詳細な説明を省略する。
【００５２】
図５（ｆ）は、信号保持回路６０におけるマルチバイブレータの波形の様子を、（ｇ）は、その出力信号ＯＵＴの様子を、それぞれ示す図である。図５の単安定マルチバイブレータ回路の出力信号ＯＵＴは、クロック信号ＣＬＫの立ち上がりをトリガとして立ち上がり、外部抵抗Ｒと外部抵抗Ｃによって定まる時定数の時間で立ち下がるパルス幅を有するパルス信号であるが、外部抵抗Ｒと外部抵抗Ｃによって定まる時定数の時間までに次のトリガ、つまりクロック信号ＣＬＫの立ち上がりがあると、そこから起算して、外部抵抗Ｒと外部抵抗Ｃによって定まる時定数の時間で立ち下がるように、パルス幅が延びる。つまり、その新しいトリガ信号が受け付けられたときから、外部抵抗Ｒと外部抵抗Ｃによって定まる時定数の時間が改めて開始することになる。
【００５３】
ここでは、外部抵抗Ｒと外部抵抗Ｃによって定まる時定数の時間を、クロック信号ＣＬＫの周期よりも十分に長く、また、ノイズの入ってくる期間よりも十分に長く取ってある場合が示されている。この場合は、クロック信号ＣＬＫが規則的にある間は、出力信号ＯＵＴはＨレベルを維持し続け、さらに、ノイズが入っても、その期間が外部抵抗Ｒと外部抵抗Ｃによって定まる時定数の時間より短ければ、出力信号ＯＵＴはＨレベルを維持し続ける。また、連続的にノイズが入ってきても、その間隔が外部抵抗Ｒと外部抵抗Ｃによって定まる時定数の時間より短ければ、出力信号ＯＵＴはＨレベルを維持し続ける。
【００５４】
したがって、ノイズが入ってきても、その期間が外部抵抗Ｒと外部抵抗Ｃによって定まる時定数の時間より短かければ、信号保持回路６０の出力信号ＯＵＴはオンレベルであるＨレベルを維持し続け、図５（ｇ），（ｈ）に示されるように、第２電源回路１８、インバータ電源回路２０は、オンのままとなる。
【００５５】
このように、表示装置１０の各内部電源は、短いノイズの場合にはオンの状態を維持し続ける。ところで、ＴＦＴパネル２６の表示は、図５（ｃ）に示されるように、ノイズが入っている間、クロック信号が消失するので、その期間は通常の表示がされないことになる。しかし、上記で説明したように、短い消失時間であれば、人間の視覚上、その消失が検出されない。したがって、図３で説明したような、かなり長い時間の表示の消失にくらべ、人間の視覚上、あまり違和感のない表示を行うことができる。そこで、図５（ｊ）では、実質上、表示が継続されるものとして示されている。
【００５６】
上記では、信号検出回路３０とは別に信号保持回路６０を設けるものとして説明した。これとは別に、検出用信号がなくなったときに、予め定められた任意の保持時間だけ、内部電源をオフさせることを遅延させる信号保持手段を、信号検出回路に設けることができる。
【００５７】
図６は、図２で説明した信号検出回路３０に、信号保持手段として、端子ＤＣ１０１に所定の容量Ｃ１（４０）を、端子ＤＣ１０２に所定の容量Ｃ２（４２）を付加した構成の信号検出回路３１を示す図である。図２で説明した信号検出回路３０は、充電の時定数を外部抵抗Ｒ１（３２）と端子ＤＣ１０１の浮遊容量ＣＰ（３４）で定め、放電の時定数を外部抵抗Ｒ２（３６）と端子ＤＣ１０２の浮遊容量ＣＰ（３８）で定めているので、あまり大きな時定数とできない。もちろん外部抵抗Ｒ１（３４），Ｒ２（３６）を大きくすることで、浮遊容量ＣＰ（３４，３８）が小さくても時定数を大きくできるが、その場合には、ノイズに弱くなり、誤動作する恐れがある。図６に示す信号検出回路３１のように、浮遊容量ＣＰよりも大きな容量値の容量Ｃ１（４０），Ｃ２（４２）を付加することで、充電時間と放電時間を十分長く取れる。なお、充電時間は短いままとして、放電時間のみを長くしてもよく、その場合には、端子ＤＣ１０２側にのみ所定の容量Ｃ２（４２）を付加する。
【００５８】
図７は、浮遊容量ＣＰ（３４，３８）を用いる構成と、端子ＤＣ１０２に所定の容量Ｃ２（４２）を付加して、放電時間を十分長く取れるようにした構成とについて、充放電波形と電源制御信号とを比較して示すタイムチャートである。
【００５９】
図７（ａ）から（ｃ）は、浮遊容量ＣＰ（３４，３８）を用いることで充放電波形を規制するもので、図３（ｃ）から（ｅ）の拡大図に相当する。この場合は、図３で説明したように、クロック信号ＣＬＫがなくなると、充放電波形のレベルが次第に低下し、閾値を下回ったところで、電源制御信号がオフとなる。
【００６０】
図７（ｂ２）と（ｃ２）は、端子ＤＣ１０２に所定の容量Ｃ２を付加して、放電時間を十分長く取れるようにしたもので、放電時間の時定数で定まる時間が、クロック信号の消失期間より十分長いように設定することで、電源制御信号はオンの状態を維持し続ける。すなわち、検出用信号がなくなったときに、予め定められた任意の保持時間だけ、内部電源をオフさせることを遅延させることができる。この保持時間あるいは遅延時間は、図５の信号保持回路についての説明で述べたように、表示パネルの１フレーム走査時間より長く、表示パネルの画素の保持容量の放電時間時定数よりも短くすることがよい。
【００６１】
このようにして、信号検出回路に、所定の保持時間を規定する外部容量と外部抵抗を接続することで、検出用信号がなくなったときに、予め定められた任意の保持時間だけ、内部電源をオフさせることを遅延させることができる。
【図面の簡単な説明】
【００６２】
【図１】本発明に係る実施の形態の表示装置の構成を示す図である。
【図２】本発明に係る実施の形態において、信号検出回路の構成例を示す図である。
【図３】本発明に係る実施の形態において、信号検出回路の動作を説明するタイムチャートである。
【図４】本発明に係る実施の形態において、信号保持回路の構成を示す図である。
【図５】本発明に係る実施の形態において、信号検出回路に合わせて信号保持回路を用いる場合の各信号等の状態を示すタイムチャートである。
【図６】本発明に係る実施の形態において、信号検出回路に信号保持手段を設ける例を説明する図である。
【図７】図６に関するタイムチャートである。
【符号の説明】
【００６３】
８  外部信号・外部電源、１０  表示装置、１２  インタフェースコネクタ、１４  タイミングコントローラ回路、１６  第１電源回路、１８  第２電源回路、２０  インバータ電源回路、２２  ゲートドライバ、２４  ソースドライバ、２６  ＴＦＴパネル、２７  バックライト、２８  上下ランプ、３０，３１  信号検出回路、３２，３６，６２  外部抵抗、３４，３８  浮遊容量、４０，４２  容量、５０  単安定マルチバイブレータ回路、６０  信号保持回路、６４  外部容量。
【図１】
2008083436.tif 000003
【図２】
2008083436.tif 000004
【図３】
2008083436.tif 000005
【図４】
2008083436.tif 000006
【図５】
2008083436.tif 000007
【図６】
2008083436.tif 000008
【図７】
2008083436.tif 000009